(57)【要約】【課題】熱交換器における通風抵抗の増加を抑制し、空気調和機全体としての能力を向上させる。【解決手段】室内機１では、複数の冷媒管が設けられた本体熱交換器１２ａと、複数の冷媒管が設けられ、本体熱交換器１２ａに積層された補助熱交換器１２ｃとを備えている。本体熱交換器１２ａ及び補助熱交換器１２ｃの側面視において、補助熱交換器１２ｃに配列された冷媒管の一部は、本体熱交換器１２ａの補助熱交換器１２ｃ側に配列された冷媒管の配列方向に関して同じ位置に設けられる。【選択図】図３
2010065899.tif 000002
【特許請求の範囲】
【請求項１】
側面視において複数列に配列された複数の冷媒管を有する熱交換器であって、
前記複数列のうちの隣り合う２つの列をそれぞれ構成する複数の冷媒管の少なくとも一部は、前記冷媒管の配列方向に関して同じ位置に設けられていることを特徴とする熱交換器。
【請求項２】
前記隣り合う２つの列は、前記複数列のうちの最も風上側に配置される列とその風下側の列であることを特徴とする請求項１に記載の熱交換器。
【請求項３】
本体熱交換器と、前記本体熱交換器に積層された補助熱交換器とを備え、
前記隣り合う２つの列は、前記補助熱交換器の前記本体熱交換器側に配列された冷媒管で構成される列と、前記本体熱交換器の前記補助熱交換器側に配列された冷媒管で構成される列であることを特徴とする請求項１または２に記載の熱交換器。
【請求項４】
前記補助熱交換器は、前記本体熱交換器上に部分的に配置されることを特徴とする請求項３に記載の熱交換器。
【請求項５】
前記補助熱交換器が前記本体熱交換器より風上側に配置された状態で熱交換器が凝縮器として用いられる場合であって、
前記本体熱交換器の冷媒管を流れた冷媒が前記補助熱交換器の冷媒管に流入することを特徴とする請求項４に記載の熱交換器。
【請求項６】
請求項１〜５のいずれか１項に記載の熱交換器を備えた空気調和機。
【発明の詳細な説明】
【技術分野】
【０００１】
本発明は、複数の冷媒管を有する熱交換器及びこれを備えた空気調和機に関する。
【背景技術】
【０００２】
空気調和機においては、吸込口から吸い込んだ室内空気が、熱交換器を通過することにより冷却または加熱されて室内へと吹き出される。ここで、熱交換器としては、主熱交換器と、この主熱交換器に積層された補助熱交換器とを有するものが用いられることが多い（例えば、特許文献１参照）。そして、複数列の熱交換器においては互いの冷媒管配置は千鳥配置とするのが有効であるとされてきたため、補助熱交換器の冷媒管と主熱交換器の冷媒管とは千鳥配置とされるのが一般的である。上記の千鳥配置とは、２列に配列された複数の冷媒管において、一方の冷媒管が他方の列の配列方向において隣り合う２つの冷媒管の中央位置に配置されていることを意味する。
【特許文献１】特開２００３−７４８９０号公報
【発明の開示】
【発明が解決しようとする課題】
【０００３】
しかしながら、従来のような千鳥配置の熱交換器では、吸込口から吸い込んだ室内空気が熱交換器を通過する際の通風抵抗が大きくなる。従って、補助熱交換器を本体熱交換器の風上側に部分的に配置した場合には、補助熱交換器の有る部分の通風抵抗が増加するため、補助熱交換器の無い部分への風量割合が増加し、補助熱交換器の有る部分への風量が減少してしまう。そのため、補助熱交換器が本来発揮できる熱交換性能を有効に活用できないという問題がある。さらに、このときは、補助熱交換器下流に位置する部分の主熱交換器も同様に熱交換性能が減少するため、この点からも補助熱交換器を有効に活用できないことになる。ところで、本来、補助熱交換器を本体熱交換器に部分的に配置した場合には、補助熱交換器の有る部分の風速は補助熱交換器の無い部分の風速よりも大きい方が、熱交換器全体の性能は高くなると考えられる。従って、補助熱交換器の無い部分の風量割合を極力抑えるように、補助熱交換器を配置することが熱交換機全体の性能向上に有効である。
【０００４】
本発明の目的は、熱交換器における通風抵抗の増加を抑制し、空気調和機全体としての能力を向上させることが可能な熱交換器及びこれを備えた空気調和機を提供することである。
【課題を解決するための手段】
【０００５】
第１の発明に係る空気調和機では、側面視において複数列に配列された複数の冷媒管を有する熱交換器であって、前記複数列のうちの隣り合う２つの列をそれぞれ構成する複数の冷媒管の少なくとも一部は、前記冷媒管の配列方向に関して同じ位置に設けられていることを特徴としている。
【０００６】
ここで、隣り合う２つの列をそれぞれ構成する冷媒管が冷媒管の配列方向に関して同じ位置に設けられているとは、隣り合う２つの列をそれぞれ構成する冷媒管が冷媒管の配列方向に関して完全に同じ位置に設けられている場合だけでなく、隣り合う２つの列をそれぞれ構成する冷媒管が冷媒管の配列方向に垂直な方向に関して冷媒管が重なる位置に設けられていればよい。従って、隣り合う２つの列の一方の冷媒管が、他方の冷媒管と冷媒管の配列方向に関して完全に同じ位置に設けられたときの冷媒管の位置から冷媒管直径１個分ずれた位置であってもよい。
【０００７】
この熱交換器では、隣り合う２つの列をそれぞれ構成する複数の冷媒管の少なくとも一部は冷媒管の配列方向に関して互いに同じ位置に設けられることで、隣り合う２つの列をそれぞれ構成する複数の冷媒管が千鳥配置となるように設けられているものと比較して、熱交換器を通過する際の空気の通風抵抗の増加を抑制し、冷媒管が複数列設けられている場合でも風量を確保することができ、熱交換器において隣り合う２つの列より風下に位置する部分の有効利用が可能になる。よって、空気調和機全体としての能力を向上させることができる。
【０００８】
第２の発明に係る熱交換器では、第１の発明に係る熱交換器において、前記隣り合う２つの列は、前記複数列のうちの最も風上側に配置される列とその風下側の列であることを特徴としている。
【０００９】
この熱交換器では、熱交換器において隣り合う２つの列より風下に位置する部分が多いので、特に有効である。
【００１０】
第３の発明に係る熱交換器では、第１または第２の発明に係る熱交換器において、本体熱交換器と、前記本体熱交換器に積層された補助熱交換器とを備え、前記隣り合う２つの列は、前記補助熱交換器の前記本体熱交換器側に配列された冷媒管で構成される列と、前記本体熱交換器の前記補助熱交換器側に配列された冷媒管で構成される列であることを特徴としている。
【００１１】
この熱交換器では、補助熱交換器を本体熱交換器に積層するときでも、空気の通風抵抗の増加を抑制することができる。
【００１２】
第４の発明に係る熱交換器では、第３の発明に係る熱交換器において、前記補助熱交換器は、前記本体熱交換器上に部分的に配置されることを特徴としている。
【００１３】
この熱交換器では、補助熱交換器を配置した部分の風量低下を抑制し、補助熱交換器を効果的に使うことにより、空気調和機全体の性能向上を図ることができる。
【００１４】
第５の発明に係る熱交換器では、第４の発明に係る熱交換器において、前記補助熱交換器が前記本体熱交換器より風上側に配置された状態で熱交換器が凝縮器として用いられる場合であって、前記本体熱交換器の冷媒管を流れた冷媒が前記補助熱交換器の冷媒管に流入することを特徴としている。
【００１５】
この熱交換器では、冷媒凝縮時において、補助熱交換器は主として冷媒の過冷却を促進し、冷媒の循環量あたりの熱交換量を増加する目的で備えられるが、補助熱交換器を配置した部分の風量を確保することで、その過冷却促進作用を強めると共に、その風下に位置する本体熱交換器の風量低下による能力低下を抑制し、空気調和機全体の性能向上を効率的に図ることができる。
【００１６】
第６の発明に係る空気調和機では、第１〜第５のいずれかの発明に係る熱交換器を備えたことを特徴としている。
【００１７】
この空気調和機では、性能向上を効率的に図ることができる。
【発明の効果】
【００１８】
以上の説明に述べたように、本発明によれば、以下の効果が得られる。
【００１９】
第１の発明では、隣り合う２つの列をそれぞれ構成する複数の冷媒管の少なくとも一部は冷媒管の配列方向に関して互いに同じ位置に設けられることで、隣り合う２つの列をそれぞれ構成する複数の冷媒管が千鳥配置となるように設けられているものと比較して、熱交換器を通過する際の空気の通風抵抗の増加を抑制し、冷媒管が複数列設けられている場合でも風量を確保することができ、熱交換器において隣り合う２つの列より風下に位置する部分の有効利用が可能になる。よって、空気調和機全体としての能力を向上させることができる。
【００２０】
第２の発明では、熱交換器において隣り合う２つの列より風下に位置する部分が多いので、特に有効である。
【００２１】
第３の発明では、補助熱交換器を本体熱交換器に積層するときでも、空気の通風抵抗の増加を抑制することができる。
【００２２】
第４の発明では、補助熱交換器を配置した部分の風量低下を抑制し、補助熱交換器を効果的に使うことにより、空気調和機全体の性能向上を図ることができる。
【００２３】
第５の発明では、冷媒凝縮時において、補助熱交換器は主として冷媒の過冷却を促進し、冷媒の循環量あたりの熱交換量を増加する目的で備えられるが、補助熱交換器を配置した部分の風量を確保することで、その過冷却促進作用を強めると共に、その風下に位置する本体熱交換器の風量低下による能力低下を抑制し、空気調和機全体の性能向上を効率的に図ることができる。
【００２４】
第６の発明では、空気調和機全体の性能向上を図ることができる。
【発明を実施するための最良の形態】
【００２５】
以下、図面を参照しつつ、本発明の一実施形態に係る室内機の構成について説明する。図１は、本発明の実施形態に係る室内機を前方斜め上から見た斜視図である。図２は、図１に示す室内機を前方から見た模式図である。図３は、図２に示す室内機のＡ−Ａ断面模式図である。図４は、図２に示す室内機の前面パネルを取り外した模式図である。図５は、熱交換器における冷媒の流れを示す図である。
【００２６】
図１に示すように、本実施形態の室内機１は、全体として一方向に細長い形状を有しており、その長手方向が水平となるように室内の壁面に取り付けられるものであり、室外に設置される室外機に接続される。この室内機１は、本体ユニット１０と、本体ユニット１０の前面に取り付けられる前面パネル２０と、を有して構成される。
【００２７】
図３に示すように、本体ユニット１０は、本体ケーシング１１と、室内熱交換器１２と、クロスフローファン１３と、電装品ユニット１４と、フィルタユニット１５と、清掃ユニット１６と、前面グリル１７とを有して構成される。
【００２８】
室内熱交換器１２、クロスフローファン１３、電装品ユニット１４、及びフィルタユニット１５は、本体ケーシング１１に取り付けられている。前面グリル１７は、これら室内熱交換器１２等の構成部材を覆うように本体ケーシング１１の前面に取り付けられている。清掃ユニット１６は、フィルタユニット１５に当接した状態で保持されるように、前面グリル１７の外側から、当該前面グリル１７の前面に嵌め込まれている。
【００２９】
室内熱交換器１２は、本体ケーシング１１に対して、前側熱交換器１２ａと後側熱交換器１２ｂとを逆Ｖ字状に配置して構成されたプレートフィン形の熱交換器である。尚、本実施形態の室内機１においては、前側熱交換器１２ａの前面に補助熱交換器１２ｃが取り付けられている。また、後側熱交換器１２ｂの後面に補助熱交換器１２ｄが取り付けられている。補助熱交換器１２ｃ及び補助熱交換器１２ｄは、冷媒と空気との熱交換を助長するためのものである。
【００３０】
前側熱交換器１２ａ、後側熱交換器１２ｂ及び補助熱交換器１２ｃ、１２ｄは、いずれも水平方向に延在した複数の冷媒管を有している。ここで、前側熱交換器１２ａは、２列１２段に配列された冷媒管を有しており、後側熱交換器１２ｂは、２列６段に配列された冷媒管を有している。また、補助熱交換器１２ｃは、１列８段に配列された冷媒管を有しており、補助熱交換器１２ｄは、１列４段に配列された冷媒管を有している。
【００３１】
前側熱交換器１２ａは、その上方から６段の冷媒管が設けられた上端部分が前方下向きに傾斜し、次の４段の冷媒管が設けられた中央部分が鉛直方向に延在し、次の２段の冷媒管が設けられた下端部分が後方下向きに傾斜している。そして、補助熱交換器１２ｃは、その上方から６段の冷媒管が設けられた部分が前側熱交換器１２ａの上端部分に積層され、次の２段の冷媒管が設けられた部分が前側熱交換器１２ａの中央部分に積層されている。
【００３２】
後述する天面吸込口１７ａ及び前側吸込口２０ａから取り入れられた空気のほとんどは、補助熱交換器１２ｃ、前側熱交換器１２ａの順に通過する。つまり、補助熱交換器１２ｃは、天面吸込口１７ａ及び前側吸込口２０ａから取り入れられた空気の流れに関して、本体熱交換器１２ａより風上側に配置されている。また、補助熱交換器１２ｃの面積は、本体熱交換器１２ａの面積よりも小さく、補助熱交換器１２ｃは本体熱交換器１２ａ上に部分的に配置されている。
【００３３】
図１に示すように、前面グリル１７には、天井部分に天面吸込口１７ａが形成されている。当該天面吸込口１７ａは、前面グリル１７の天井部分を格子状にして形成されている。また、図４に示すように、前面グリル１７の前側上部には、前側開口１７ｂ、１７ｃが形成されている。前側開口１７ｂ、１７ｃは、それぞれ一の開口として形成されている。また、前面グリル１７には、これらの前側開口１７ｂ、１７ｃの下方に室内機１の長手方向と平行に延びる開口部１７ｄが形成されている。この開口部１７ｄには、清掃ユニット１６が嵌め込まれている。また、前面グリル１７には、長手方向中央部において、開口部１７ｄの下方に、発光表示部４２を前方に露出させるための開口部１７ｅが形成されている。当該開口部１７ｅは、発光表示部４２の前面形状と略対応する形状で形成され、当該発光表示部４２が、前面グリル１７の内側から外側に向かって挿入されている。
【００３４】
図１に示すように、前面パネル２０を閉じた状態で、前面グリル１７の天面吸込口１７ａ、及び、前面パネル２０の上部に位置する前側吸込口２０ａから、外部の空気が当該前面グリル１７の内部へ吸い込まれる。
【００３５】
図３に示すように、室内熱交換器１２の逆Ｖ字状の内側には、クロスフローファン１３が設けられている。このクロスフローファン１３は貫流ファン（または横流ファン）と呼ばれているもので、その軸方向が空気調和機１の長手方向に沿うように配置されている。本体ケーシング１１には、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｆへ空気を滑らかに導くことができる。
【００３６】
本体ケーシング１１は、吹出口１７ｆの上側に位置するように上側壁面１１ｂを有する。当該上側壁面１１ｂは、ドレンパン１１ｃと一体に成形されている。ドレンパン１１ｃと前面パネル２０との間の位置には、電装品ユニット１４が配置されている。また、後側熱交換器１２ｂの下方には、後側ドレンパン１１ｄが配置されている。本体ケーシング１１、前面グリル１７、及び前面パネル２０は、横長のものである。また、吹出口１７ｆは、前面グリル１７の長手方向（横方向）に沿って延びるように形成されている。
【００３７】
空気調和機１においては、上面の天面吸込口１７ａ及び前側吸込口２０ａからクロスフローファン１３によって吸い込まれた室内空気を室内熱交換器１２に通過させ冷媒との間で熱交換させることにより、当該空気の冷却又は加熱が行われる。熱交換後の当該空気は、下面の吹出口１７ｆから室内へと吹出される。
【００３８】
次に、室内熱交換器１２における冷媒の流れについて、図５を参照して説明する。ここでは、室内熱交換器１２が凝縮器として用いられる暖房運転時の流れを説明するが、冷房運転時は暖房運転時と反対の流れとなる。
【００３９】
室外機からの冷媒は、分流器５１において３つの流れに分けられ、前側熱交換器１２ａの中央部分と後側熱交換器１２ｂの２箇所にそれぞれ流入する。後側熱交換器１２ｂの２箇所に流入した冷媒は、それぞれ、補助熱交換器１２ｄの上部分または下部分を流れた後で合流器５２において合流する。一方、前側熱交換器１２ａの中央部分に流入した冷媒は、前側熱交換器１２ａの下端部分を流れ中央部分に戻った後で、合流器５３において合流器５２からの冷媒と合流する。合流器５３において合流した冷媒は、再熱除湿弁５４を通過した後で、分流器５５において２つの流れに分かれ、前側熱交換器１２ａの上端部分の２箇所にそれぞれ流入する。前側熱交換器１２ａの上端部分に流入した冷媒の一方は、上端部分の一部を流れた後で補助熱交換器１２ｃの上端部分を流れ、他方は、上端部分の一部と中央部分の一部と補助熱交換器１２ｃの下端部分を流れて、合流器５６において合流した後、室外機へと供給される。
【００４０】
次に、室内熱交換器１２における冷媒管の配置について、図６及び図７を参照して説明する。図６は、本発明の実施形態における冷媒管の配置を示す模式図であり、図７は、比較例における冷媒管の配置を示す模式図である。ここで、図６は、前側熱交換器１２ａ及び補助熱交換器１２ｃの一部分の側面図を示し、前側熱交換器１２ａに設けられた冷媒管と、前側熱交換器１２ａに積層された補助熱交換器１２ｃに設けられた冷媒管との位置関係を示している。
【００４１】
図６では、前側熱交換器１２ａにおいて、風上側（補助熱交換器１２ｃ側）の列に含まれる冷媒管のうちの隣り合う２つの冷媒管６１、６２が図示されると共に、風下側（補助熱交換器１２ｃと反対側）の列に含まれる冷媒管６３が図示されている。また、補助熱交換器１２ｃの冷媒管のうちの冷媒管７１、７２が図示されている。
【００４２】
図６の線Ｌは、前側列交換機１２ａの冷媒管６１の中心位置６１ａと冷媒管６２の中心位置６２ａとを結んだ線である。そして、冷媒管６３の中心位置６３ａは、線Ｌを２等分する点Ｌ１を通過し且つ線Ｌに対して垂直な直線Ｖ１上に位置している。つまり、前側熱交換器１２ａでは、２列に設けられた冷媒管は千鳥配置になっている。一方、補助熱交換器１２ｃの冷媒管７１の中心位置７１ａは、前側熱交換器１２ａの冷媒管６１の中心位置６１ａを通過し且つ線Ｌに対して垂直な直線Ｖ２上に位置している。同様に、補助熱交換器１２ｃの冷媒管７２の中心位置７２ａは、前側熱交換器１２ａの冷媒管６２の中心位置６２ａを通過し且つ線Ｌに対して垂直な直線Ｖ３上に位置している。
【００４３】
このように、図６においては、補助熱交換器１２ｃの冷媒管７１は、前側熱交換器１２ａにおける補助熱交換器１２ｃ側の冷媒管の配列方向に関して、冷媒管６１と同じ位置に位置している（インライン配置）。補助熱交換器１２ｃの冷媒管７２は、前側熱交換器１２ａにおける補助熱交換器１２ｃ側の冷媒管の配列方向に関して、冷媒管６２と同じ位置に位置している。つまり、補助熱交換器１２ｃの冷媒管７１、７２は、それぞれ、前側熱交換器１２ａにおける補助熱交換器１２ｃ側の冷媒管の配列方向に垂直な方向に関して、冷媒管６１、６２と重なる位置に位置している。
【００４４】
図７では、比較例として、図６の補助熱交換器１２ｃを前側熱交換器１２ａに対してずらすことで、補助熱交換器１２ｃ’の冷媒管を前側熱交換器１２ａにおける補助熱交換器１２ｃ’側の冷媒管に対して千鳥配置とした状態が図示されている。従って、比較例における補助熱交換器１２ｃ’の冷媒管７３の中心位置７３ａは、線Ｌを２等分する点Ｌ１を通過し且つ線Ｌに対して垂直な直線Ｖ１上に位置している。
【００４５】
従来技術を示す図７では、天面吸込口１７ａ又は前側吸込口２０ａから吸い込まれた空気が、補助熱交換器１２ｃ’に送り込まれる際に、冷媒管７０に衝突することから通風抵抗が大きくなる。一方、本発明を示す図６では、補助熱交換器１２ｃの冷媒管７１、７２が、前側熱交換器１２ａにおける補助熱交換器１２ｃ側の冷媒管の配列方向に関して、冷媒管６１、６２と同じ位置に位置していることから、補助熱交換器１２ｃを前側熱交換器１２ａ上に配置したとしても、補助熱交換器１２ｃが配置された部分において、通風抵抗が増加するのが抑制される。
【００４６】
図８は、補助熱交換器の冷媒管の配置の違いに起因した風量低下の影響を示した実験データであり、横軸は冷媒管７０の内部を流れる冷媒循環量Ｃ（ｋｇ／ｈ）を示し、縦軸は空気調和機の能力Ａ（Ｗ）を示す。また、図８では、曲線Ａ１は、補助熱交換器１２ｃの冷媒管をインライン配置（図６参照）としたときに対応し、曲線Ａ２は、補助熱交換器１２ｃの冷媒管を千鳥配置（図７参照）としたときに対応している。図９から分かるように、冷媒循環量Ｃが約３６（ｋｇ／ｈ）以下の場合では、能力Ａ１、Ａ２はほとんど等しいが、冷媒循環量Ｃが約３６（ｋｇ／ｈ）を超えると、能力Ａ１は能力Ａ２よりも大きくなる。つまり、図８からは、補助熱交換器１２ｃの冷媒管をインライン配置としたときと千鳥配置としたときでは、冷媒循環量Ｃが比較的少ないときは空気調和機の能力Ａに対する影響は小さいが、冷媒循環量Ｃが多くなると空気調和機の能力Ａに対する影響は大きいことが分かる。
【００４７】
以上説明したように、本実施形態の室内機１では、補助熱交換器１２ｃの冷媒管７１は、前側熱交換器１２ａにおける補助熱交換器１２ｃ側の冷媒管の配列方向に関して、冷媒管６１と同じ位置に位置している（インライン配置）。従って、補助熱交換器の冷媒管が千鳥配置となるように設けられているものと比較して、熱交換器を通過する際の空気の通風抵抗の増加を抑制し、冷媒管が複数列設けられている場合でも風量を確保することができ、熱交換器において隣り合う２つの列より風下に位置する部分の有効利用が可能になる。よって、空気調和機全体としての能力を向上させることができる。
【００４８】
以上、本発明の実施形態について図面に基づいて説明したが、具体的な構成は、これらの実施形態に限定されるものでないと考えられるべきである。本発明の範囲は、した実施形態の説明だけではなく特許請求の範囲によって示され、さらに特許請求の範囲と均等の意味及び範囲内でのすべての変更が含まれる。
【００４９】
例えば、上述した実施形態では、補助熱交換器１２ｃの冷媒管７１が、前側熱交換器１２ａにおける補助熱交換器１２ｃ側の冷媒管の配列方向に関して、冷媒管６１と同じ位置に位置している（インライン配置）の一例として、冷媒管の配列方向に関して、補助熱交換器１２ｃの冷媒管７１が前側熱交換器１２ａの冷媒管６１と完全に同じ位置に設けられた場合が示されているが、２つの冷媒管が冷媒管の配列方向に関して同じ位置に位置している（インライン配置）とは、これに限定されない。つまり、２つの冷媒管が冷媒管の配列方向に関して同じ位置に設けられているとは、２つの冷媒管が冷媒管の配列方向に垂直な方向に関して冷媒管が重なる位置に設けられていればよい。従って、一方の冷媒管が、他方の冷媒管と冷媒管の配列方向に関して完全に同じ位置に設けられたときの冷媒管の位置から冷媒管直径１個分ずれた位置であってもよい。
【００５０】
従って、図９に示すように、補助熱交換器１１２ｃの冷媒管と前側熱交換器１２ａの冷媒管との配置であってもよい。図９では、図６で示した補助熱交換器１２ｃの冷媒管７１、７２の位置が破線で図示されている。つまり、図６で示した補助熱交換器１２ｃの冷媒管７１、７２は、前側熱交換器１２ａにおける補助熱交換器１２ｃ側の冷媒管の配列方向に関して、冷媒管６１と同じ位置に位置している。そして、図９の補助熱交換器１１２ｃ’の冷媒管１７１、１７２は、上記の冷媒管７１、７２の位置を示す破線に接する位置から冷媒管の配列方向に沿って右上斜め方向にずれた位置であって、上記の冷媒管７１、７２の位置を示す破線に接する位置に位置している。この場合も、補助熱交換器１１２ｃの冷媒管１７１、１７２は、前側熱交換器１２ａにおける補助熱交換器１１２ｃ側の冷媒管の配列方向に関して、冷媒管６１、６２と同じ位置に位置している（インライン配置）ことから、補助熱交換器の冷媒管が千鳥配置となるように設けられているものと比較して、熱交換器を通過する際の空気の通風抵抗の増加を抑制し、空気調和機全体としての能力を向上させることができる。
【００５１】
また、図１０に示すように、補助熱交換器２１２ｃの冷媒管と前側熱交換器１２ａの冷媒管との配置であってもよい。図１０では、図６で示した補助熱交換器１２ｃの冷媒管７１、７２の位置が破線で図示されている。つまり、図６で示した補助熱交換器１２ｃの冷媒管７１、７２は、前側熱交換器１２ａにおける補助熱交換器１２ｃ側の冷媒管の配列方向に関して、冷媒管６１と同じ位置に位置している。そして、図１０の補助熱交換器２１２ｃ’の冷媒管２７１、２７２は、上記の冷媒管７１、７２の位置を示す破線に接する位置から冷媒管の配列方向に沿って左下斜め方向にずれた位置であって、上記の冷媒管７１、７２の位置を示す破線に接する位置に位置している。この場合も、補助熱交換器２１２ｃの冷媒管２７１、２７２は、前側熱交換器１２ａにおける補助熱交換器２１２ｃ側の冷媒管の配列方向に関して、冷媒管６１、６２と同じ位置に位置している（インライン配置）ことから、補助熱交換器の冷媒管が千鳥配置となるように設けられているものと比較して、熱交換器を通過する際の空気の通風抵抗の増加を抑制し、空気調和機全体としての能力を向上させることができる。但し、図９の実施例の冷媒管配置の方が、天面吸込口１７ａ及び前側吸込口２０ａから取り入れられた風の流れに沿っているため、より効果的である。
【００５２】
また、上述した実施形態では、補助熱交換器１２ｃの上方から１段−５段の冷媒管が、冷媒管の配列方向に関して、前側熱交換器１２ａの上方から２段−６段の冷媒管と同じ位置に位置しているが、補助熱交換器１２ｃの少なくとも一部の冷媒管が、冷媒管の配列方向に関して、前側熱交換器１２ａのいずれかの冷媒管と同じ位置に位置していればよい。
【００５３】
また、上述した実施形態では、冷媒管の配列方向に関して同じ位置に位置している冷媒管を含む隣り合う２つの列は、３列のうちの最も風上側に配置される列とその風下側の列であるが、これに限定されない。
【００５４】
また、上述した実施形態では、２列の冷媒管が設けられた本体熱交換器１２ａと、１列の冷媒管が設けられた補助熱交換器１２ｃが積層され、冷媒管の配列方向に関して同じ位置に位置している冷媒管を含む隣り合う２つの列は、補助熱交換器１２ｃの冷媒管で構成される列と、本体熱交換器１２ａの補助熱交換器１２ｃ側の冷媒管で構成される列であるが、これに限定されない。従って、冷媒管の配列方向に関して同じ位置に位置している冷媒管を含む隣り合う２つの列は、複数列の冷媒管が設けられている本体熱交換器における複数列のうちの２列であってもよいし、複数列の冷媒管が設けられている補助熱交換器における複数列のうちの２列であってもよい。
【００５５】
また、上述した実施形態では、補助熱交換器１２ｃは本体熱交換器１２ａ上に部分的に配置されているが、補助熱交換器１２ｃの面積と本体熱交換器１２ａの面積とが同じであって、補助熱交換器１２ｃが本体熱交換器１２ａ上の全面に配置されてもよい。
【００５６】
また、上述した実施形態では、補助熱交換器１２ｃが本体熱交換器１２ａより風上側に配置された状態で熱交換器が凝縮器として用いられる場合であって、本体熱交換器１２ａの冷媒管を流れた冷媒が補助熱交換器１２ｃの冷媒管に流入しているが、これに限定されない。
【００５７】
また、上述した実施形態では、室内機に備えられた熱交換器の一例について説明したが、本発明はかかる実施形態に限定されるものではない。従って、本発明は、室外機に備えられた熱交換器であっても、上述の実施形態と同様の効果は得られる。
【産業上の利用可能性】
【００５８】
本発明を利用すれば、熱交換器における通風抵抗の増加を抑制し、空気調和機全体としての能力を向上させる。
【図面の簡単な説明】
【００５９】
【図１】本発明の実施形態に係る空気調和機を前方斜め上から見た斜視図である。
【図２】図１に示す空気調和機を前方から見た模式図である。
【図３】図２に示す空気調和機のＡ−Ａ断面模式図である。
【図４】図２に示す空気調和機の前面パネルを取り外した模式図である。
【図５】室内熱交換器における冷媒の流れの一例を示す説明図である。
【図６】補助熱交換器の冷媒管と本体熱交換器の冷媒管との配置の一例を示す模式図である。
【図７】補助熱交換器の冷媒管と本体熱交換器の冷媒管との配置の比較例を示す模式図である。
【図８】補助熱交換器の冷媒管の配置の違いに起因した風量低下の影響を示した実験データである。
【図９】補助熱交換器の冷媒管と本体熱交換器の冷媒管との配置の他の例を示す模式図である。
【図１０】補助熱交換器の冷媒管と本体熱交換器の冷媒管との配置の他の例を示す模式図である。
【符号の説明】
【００６０】
１  室内機（空気調和機）
１２ａ  前側熱交換器（本体熱交換器）
１２c、１１２c、２１２c  補助熱交換器
６１、６２、６３、７１、７２、１７１、１７２、２７１、２７２  冷媒管
【図１】
2010065899.tif 000003
【図２】
2010065899.tif 000004
【図３】
2010065899.tif 000005
【図４】
2010065899.tif 000006
【図５】
2010065899.tif 000007
【図６】
2010065899.tif 000008
【図７】
2010065899.tif 000009
【図８】
2010065899.tif 000010
【図９】
2010065899.tif 000011
【図１０】
2010065899.tif 000012